(57)【要約】【課題】記録再生装置を使用しているうちに消去したくない番組がたまり、コンテンツの新たな記録に使用できる領域が少なくなってしまうという問題があった。【解決手段】この発明に係る記録再生装置は、外部から入力された前記デジタルデータを記録するコンテンツ記録手段と、コンテンツ記録手段に記録されたデジタルデータの一部をデジタルデータ保管装置へ保管するための選択を行う外部保管データ選択手段と、デジタルデータ保管装置と通信を行うための通信手段とを備え、外部保管データ選択手段で選択されたデジタルデータを前記デジタルデータ保管装置に向けて出力するように構成している。【選択図】　図１
2004088281.tif 000002
【特許請求の範囲】
【請求項１】
外部から入力された映像や音声等のコンテンツに係るデジタルデータの一部を外部に設けられたデジタルデータ保管装置へ保管する記録再生装置において、
外部から入力された前記デジタルデータを記録するコンテンツ記録手段と、
前記コンテンツ記録手段に記録されたデジタルデータの一部を前記デジタルデータ保管装置へ保管するための選択を行う外部保管データ選択手段と、
前記デジタルデータ保管装置と通信を行うための通信手段とを備え、前記通信手段は前記外部保管データ選択手段で選択されたデジタルデータを前記デジタルデータ保管装置に向けて出力することを特徴とする記録再生装置。
【請求項２】
前記外部保管データ選択手段はデジタルデータの一部を前記デジタルデータ保管装置へ保管するための選択を行った際に、前記選択されたデジタルデータのストリーム情報を出力し、このストリーム情報を受信した前記デジタルデータ保管装置からのデジタルデータの送信形態に係る要求を受信し、ストリームまたは特定情報のどちらかの形態で、前記選択されたデジタルデータを、前記通信手段を介して前記デジタルデータ保管装置に向けて出力することを特徴とする請求項１に記載の記録再生装置。
【請求項３】
請求項１または２に記載の前記記録再生装置と通信を行い、受信したデジタルデータを保管するデジタルデータ保管装置において、
前記記録再生装置と通信を行うための第２の通信手段と、
前記第２の通信手段を介して受信したデジタルデータを記録する第２のコンテンツ記録手段と、
前記記録再生装置から出力されたデジタルデータのストリーム情報を受信して前記第２のコンテンツ記録手段に同一ストリームが記録されているか否かを判定する同一ストリーム判定手段とを備え、前記第２のコンテンツ記録手段に同一ストリームが記録されていると判定された場合にはその同一ストリームの内容や保管されている位置を特定するための情報を、同一ストリームが記録されていないと判定された場合には前記受信したデジタルデータのストリームを、それぞれ、前記第２の記憶手段に保管することを特徴とするデジタルデータ保管装置。
【請求項４】
外部から入力された映像や音声等のコンテンツに係るデジタルデータを受信して内部に設けられたコンテンツ記録手段に記録する記録再生装置、および前記記録再生装置と通信を介して接続され前記コンテンツ記録手段に記録されたデジタルデータの一部が保管される前記記録再生装置の外部に設けられたデジタルデータ保管装置とを備えたデータ保管システムにおいて、
前記記録再生装置は、
外部から入力された映像や音声等のコンテンツに係るデジタルデータを記録するコンテンツ記録手段と、
前記コンテンツ記録手段に記録されたデジタルデータの一部を前記デジタルデータ保管装置へ保管するための選択を行い、この選択の際に、選択されたデジタルデータのストリーム情報を前記デジタルデータ保管装置へ向けて出力し、このストリーム情報を受信した前記デジタルデータ保管装置からのデジタルデータの送信形態に係る要求を受信し、ストリームまたは特定情報のどちらかの形態で、前記選択されたデジタルデータを、前記デジタルデータ保管装置に向けて出力する外部保管データ選択手段と、
前記デジタルデータ保管装置と通信を行うための通信手段とを備え、
前記デジタルデータ保管装置は、
前記記録再生装置と通信を行うための第２の通信手段と、
前記第２の通信手段を介して受信したデジタルデータを記録する第２のコンテンツ記録手段と、
前記記録再生装置から出力されたデジタルデータのストリーム情報を受信して前記第２のコンテンツ記録手段に同一ストリームが記録されているか否かを判定する同一ストリーム判定手段とを備え、前記同一ストリーム判定手段は前記第２のコンテンツ記録手段に同一ストリームが記録されていると判定された場合にはその同一ストリームの内容や保管されている位置を特定するための情報を、同一ストリームが記録されていないと判定された場合には前記受信したデジタルデータのストリームをそれぞれ前記第２の記憶手段に保管することを特徴とするデータ保管システム。
【請求項５】
前記データ保管システムにおいて、前記記録再生装置は、前記デジタルデータ保管装置１台に対して少なくとも複数台数構成されることを特徴とする請求項４に記載のデータ保管システム。
【請求項６】
外部から入力された映像や音声等のコンテンツに係るデジタルデータの一部を外部に設けられたデジタルデータ保管装置へ保管する記録再生方法において、
外部から入力された前記デジタルデータを記録する記録ステップと、
前記記録されたデジタルデータの一部を前記デジタルデータ保管装置へ保管するための選択を行う外部保管データ選択ステップと、
前記デジタルデータ保管装置と通信を行い、前記選択されたデジタルデータを前記デジタルデータ保管装置に向けて出力するための通信ステップとを備えることを特徴とした記録再生方法。
【請求項７】
前記外部保管データ選択ステップにおいて、デジタルデータの一部を前記デジタルデータ保管装置へ保管するための選択を行った際に、前記選択されたデジタルデータのストリーム情報を出力し、このストリーム情報を受信した前記デジタルデータ保管装置からのデジタルデータの送信形態に係る要求を受信し、ストリームまたは特定情報のどちらかの形態で、前記選択されたデジタルデータを、前記デジタルデータ保管装置に向けて出力することを特徴とする請求項６に記載の記録再生方法。
【請求項８】
請求項１または２に記載の前記記録再生装置と通信を行い、受信したデジタルデータを保管するデジタルデータ保管方法において、
前記記録再生装置と通信を行うための第２の通信ステップと、
前記第２の通信ステップにおいて受信したデジタルデータを記録する第２の記録ステップと、
前記記録再生装置から出力されたデジタルデータのストリーム情報を受信して前記第２の記録ステップに同一ストリームが記録されているか否かを判定する同一ストリーム判定ステップと、
前記同一ストリームが記録されていると判定された場合にはその同一ストリームの内容や保管されている位置を特定するための情報を、同一ストリームが記録されていないと判定された場合には前記受信したデジタルデータのストリームを、保管するステップとを備えることを特徴としたデジタルデータ保管方法。
【発明の詳細な説明】
【０００１】
【発明の属する技術分野】
この発明は高速ネットワークを利用した映像や音声等のコンテンツの記録再生に係り、特にコンテンツの保管に関する。
【０００２】
【従来の技術】
近年、映像圧縮技術の飛躍的な進歩と、ハードディスク（以後ＨＤＤと略す）の記録容量の大幅な増加により、ＴＶ放送をＨＤＤに記録し、再生するハードディスクレコーダー／プレーヤーと呼ばれる記録再生装置が登場している。
【０００３】
また、これに類するものとして、書き換え可能なＤＶＤ−ＲＡＭ（ＤＶＤビデオレコーダー）等の記録媒体を用いてＴＶ放送をＤＶＤビデオレコーダーに記録し、再生するＤＶＤビデオレコーダー／プレーヤーと呼ばれる記録再生装置が登場している。
【０００４】
さらに、ハードディスクレコーダー／プレーヤーとＤＶＤビデオレコーダー／プレーヤーの両方を備えた記録再生装置も登場している。
【０００５】
最近では、これらの記録再生装置にＴＶチューナー機能を内蔵したり、ＴＶやＳＴＢ（セットトップボックス）等の受信機器に、これらの記録再生装置を内蔵するものも登場しつつある。
【０００６】
従来において、ハードディスクレコーダーについて記載された文献としては、特開２００１−１９７４１３号公報が開示されている。また、電話回線を利用したハードディスクレコーダーシステムについて記載された文献としては、特開２００２−１４０４８７号公報が開示されている。
【０００７】
上記文献に開示される文献において、アナログＴＶ放送については、チューナーで受信した番組を、Ａ／Ｄ（アナログ／デジタル）変換した後に、ＭＰＥＧ等で圧縮処理してＨＤＤ等の記録媒体に記録している。
【０００８】
また、ＢＳデジタル放送などのデジタルＴＶ放送は、チューナーで受信した番組をそのまま、或いは誤り訂正などを付加したり、加工したデジタルデータの形でＨＤＤ等の記録媒体に記録している。
【０００９】
また、外部からのアナログ入力信号については、アナログＴＶ放送と同様に、Ａ／Ｄ変換して処理している。
【００１０】
一方、再生する時には、ＨＤＤ等の記録媒体から読み出して伸張し、Ｄ／Ａ（デジタル／アナログ）変換してアナログ信号に戻している。
【００１１】
チューナーの選局や記録再生に関する制御、モデム　（電話回線）を使った通信等はＣＰＵ（中央演算処理装置）によって制御されている。
【００１２】
ＴＶ放送を、この様な記録再生装置に記録するシステムにおいては、コンテンツの記録／再生を継続しているうちに、だんだんユーザーが消去したくない番組がたまってくる。すると、記録に使える領域が少なくなってしなうという問題があった。また、長期間使っているうちには、クラッシュ等が起こり、記録再生装置に記録されている記録内容が失われるという懸念もあった。
【００１３】
【発明が解決しようとする課題】
上記のように、従来の技術においては、記録再生装置の記録媒体の記録容量が固定されている。最近の一般的な容量のハードディスクレコーダーの場合は、１００〜２００時間分の番組（コンテンツ）を記録すると、記録再生装置のすべての記録領域を使い切ってしまい、どれかを消去しないと新たな番組（コンテンツ）を記録できないという問題があった。
【００１４】
また、記録再生装置のすべての記録領域を使いきってない場合でも、だんだん消去したくない番組がたまってくるにつれ、コンテンツの新たな記録に使用できる領域が、少なくなってしまうという問題があった。
【００１５】
そこで、この発明は、上記問題を解決することを課題としている。
【００１６】
【課題を解決するための手段】
この発明に係る記録再生装置は、外部から入力された前記デジタルデータを記録するコンテンツ記録手段と、前記コンテンツ記録手段に記録されたデジタルデータの一部をデジタルデータ保管装置へ保管するための選択を行う外部保管データ選択手段と、前記デジタルデータ保管装置と通信を行うための通信手段とを備え、前記外部保管データ選択手段で選択されたデジタルデータを前記デジタルデータ保管装置に向けて出力するように構成している。
【００１７】
またこの発明に係るデジタルデータ保管装置は、上記記録再生装置と通信を行うための第２の通信手段と、前記第２の通信手段を介して受信したデジタルデータを記録する第２のコンテンツ記録手段と、前記記録再生装置から出力されたデジタルデータのストリーム情報を受信して前記第２のコンテンツ記録手段に同一ストリームが記録されているか否かを判定する同一ストリーム判定手段とを備え、前記第２のコンテンツ記録手段に同一ストリームが記録されていると判定された場合にはその同一ストリームの内容や保管されている位置を特定するための情報を、同一ストリームが記録されていないと判定された場合には前記受信したデジタルデータのストリームを、それぞれ、前記第２の記憶手段に保管するように構成している。
【００１８】
【発明の実施の形態】
以下、図面を用いて、この発明の実施の形態を説明する。
【００１９】
図１はこの発明の実施の形態に係るシステムの構成を説明する図である。
【００２０】
符号４１は映像や音声等のコンテンツに係るデジタルデータを記録し、再生する記録再生装置（記録再生機器：ここではＳＴＢ（セットトップボックス）に内蔵される例を用いて説明するが、テレビセットに内蔵されてもよい。
【００２１】
どちらも高速インターフェース（Ｉ／Ｆ）を備えていることが好ましい）、符号４２は映像や音声等のコンテンツが送信されたデジタル放送を受信するアンテナ、符号４３は記録再生装置から送信されたデジタルデータの一部を保管する記録再生装置４１の外部に設けられた保管センターである。
【００２２】
アンテナ４２で受信された映像や音声等のコンテンツはデジタルデータの形態で記録再生装置４１へ入力され、記録される。
【００２３】
また、外部入力等によって入力されたコンテンツも所望のデジタルデータへ変換されて記録される。
【００２４】
記録再生装置４１に記録された映像や音声等のコンテンツが再生される際は、所定のエンコードが行われ、ビデオ出力または音声出力として出力される。以降は、上記ビデオ出力と音声出力の両方を総称してビデオ出力と呼ぶ。
【００２５】
保管センター４３は記録再生装置４１とＡＤＳＬ等の高速の通信回線で接続されている。記録再生装置４１に記録された映像や音声等のコンテンツに係るデジタルデータの一部はこの通信回線を経由して保管センター４３に送信され、保管される。
【００２６】
上記説明では、保管センター１つに対して記録再生機器１台が接続される例を用いて説明したが、この発明の実施の形態においては、保管センター１つに対して複数の記録再生装置が接続されることを想定している。
【００２７】
図２はこの発明の実施の形態に係る記録再生装置の具体的な構成を示す図である。
【００２８】
符号３５はＡ／Ｄコンバータ、符号３６は圧縮ブロック（圧縮手段）、符号３１はＨＤＤやＤＶＤ等のコンテンツ記録装置、符号３２は伸張ブロック（伸張手段）、符号３７はＤ／Ａコンバータ、符号３８はデジタル放送を受信するチューナ、符号３９は送受信データ処理部、符号３４は外部との通信を行う通信手段、符号３３は上記構成の制御を行う全体コントロール部である。
【００２９】
外部入力によって映像や音声等のコンテンツがＡ／Ｄコンバータ３５へ入力されると、このコンテンツがアナログ信号であった場合はデジタル信号へ変換されて出力される。
【００３０】
Ａ／Ｄコンバータ３５から出力されたデジタル信号は圧縮ブロック３６へ入力され、例えばＭＰＥＧ処理等の圧縮処理が施され、情報量が圧縮されて圧縮データが出力される。圧縮ブロック３６はソフトウェアで構成されてもよいし、ハードウェアで構成されてもよい。圧縮ブロック３６から出力された圧縮データはコンテンツ記録装置３１へ入力される。
【００３１】
また、チューナ３８で受信されたデジタル放送はＭＰＥＧ処理が行われた圧縮データが送信されており、この圧縮データもコンテンツ記録装置３１へ入力される。
【００３２】
コンテンツ記録装置３１は入力されたコンテンツに係る上記圧縮データを記録する。
【００３３】
コンテンツ記録装置３１に記録されたコンテンツを再生する際は、コンテンツ記録装置３１から記録されている圧縮データが出力され、伸張ブロック３２へ入力される。
【００３４】
伸張ブロック３２では入力された圧縮データの伸張処理を行い伸張データを出力する。伸張ブロック３２も圧縮ブロック３６と同様に、ソフトウェアで構成されてもよいし、ハードウェアで構成されてもよい。
【００３５】
圧縮ブロック３６から出力された伸張データはＤ／Ａコンバータ３７へ入力され、アナログ信号に変換されてビデオ出力として出力される。
【００３６】
送受信データ処理部３９は、コンテンツ記録装置３１に記録されたコンテンツ（デジタルデータ）の一部（記録されたコンテンツの一部であってもよいし、全部でもよい）を、全体コントロール部３３の指示に基づいて、上記外部に設けられた保管センター４３へ保管するための選択処理を行う。
【００３７】
全体コントロール部３３の指示は、図示しないユーザーの指示（リモコン等）に基づいて行われてもよいし、全体コントロール部３３で自動的に演算処理されるように構成してもよい。
【００３８】
コンテンツ記録装置３１に記録され、コンテンツ送受信データ処理部３９で選択されたコンテンツ（デジタルデータ）は、ＡＤＳＬ等の高速の通信手段３４を介して外部に設けられた保管センター４３と接続され、送信される。
【００３９】
上記全体コントロール部３３はマイコン（中央演算処理装置）等で構成され、上記説明した記録再生装置内の各構成をコントロールする。
【００４０】
この発明の実施の形態においては、上記説明したように、記録再生装置４１と保管センター４３がＡＤＳＬやＦＴＴＨやイーサネット（Ｒ）等の高速の通信回線で接続されている。
【００４１】
尚、上記では特に説明しなかったが、保管センター４３は、上記と同様に、図示しない複数の記録再生装置４１と通信回線で接続されており、各記録再生装置４１から送信されたコンテンツに係るデータを保管する構成になっている。
【００４２】
また、保管センター４３は、デジタル放送やアナログ放送で放送された複数の番組の、コンテンツの実態（すなわち、デジタルデータやストリーム）を、ライブラリーとして持っていることが望ましい。
【００４３】
一例として、保管センター４３は、放送局や番組製作会社、映画会社等によって設立される形態、または、コンテンツの所有者から委託や許可を受けて、大量のコンテンツを所蔵する形態でもよい。
【００４４】
この発明に係る記録再生装置４１は、選択されたコンテンツを保管センター４３へ送信または保管センター４３からコンテンツを受信するために、通信手段３４として高速のＡＤＳＬモデムやＦＴＴＨモデム、イーサネット（Ｒ）のＩ／Ｆなどを備えることが望ましい。コンテンツ記録装置３１から選択されたコンテンツ（番組、記録内容）を、上記通信回線を用いて保管センターに送ったり、保管センターに預けてある番組をコンテンツ記録装置３１にダウンロードしたりすることができるようになっている。
【００４５】
コンテンツ記録装置３１から読み出されたデータ（ストリーム）は、適宜、送受信データ処理部３９で処理され、通信手段３４を介して保管センター４３へ送信される。この時、上記通信によって予め、内容管理用情報として、放送月日・何ＣＨ・何時の番組といった番組に関する情報を保管センター４３へ送信する。
【００４６】
この管理用情報は、放送月日・何ＣＨ・何時から何時の番組といった明示的な情報でも良い。また、例えばＧコード予約録画等のように、最終的に放送月日・何ＣＨ・何時から何時といった情報に変換できるものを用いてもよい。保管センター４３は、この管理用情報を用いて、ライブラリーが備えられているかどうかをチェックする。
【００４７】
記録再生機器４１と保管センター４３は、上記内容管理用情報のやりとりの他に、保管センター４３のライブラリーの有無によりストリームの送信有無の決定などといった各種のやりとり（ネゴシーション）を行なう。また、保管センター４３は、どの記録再生装置４３からコンテンツを預かっているのかを特定する情報と共に、送られて来たストリームを預かる。
【００４８】
記録再生装置４１が、預けたストリームを保管センター４３からダウンロードする場合は、記録再生機器４１からＡＤＳＬ回線等の通信回線を使ってダウンロードするストリームを指定し、保管センター４３から通信回線でストリ−ムを送ってもらう。保管センター４３は、他のユーザーが預けたストリームは選択できないようにしておくことはいうまでもない。
【００４９】
また、記録再生装置４１も、自身の記録媒体の空き容量がどの程度あるかを考慮し、ダウンロードできない大きさのデータの場合には、ユーザーにその旨のメッセージを提示するなどして、ダウンロードしないようにすることも言うまでもない。
【００５０】
上記判断が行われた後に、通信回線を介して保管センター４３から送信されて来たストリームは、通信手段（ＡＤＳＬモデム等）３４で受信し、送受信データ処理部３９で適宜処理が行われ、コンテンツ記録装置３１に記録される。
【００５１】
図３はこの発明の実施の形態に係るシステムの動作を説明するフローチャートである。
【００５２】
符号１０１はスタートである。続いて符合１０２を付したステップへ進む。
【００５３】
ステップ１０２は記録再生装置４１に記録されたコンテンツデータから保管センター４３へ保管するデータ（ストリーム）を選択するステップである。続いて符合１０３を付したステップへ進む。
【００５４】
ステップ１０３は記録再生装置４１と保管センター４３が通信を行い、保管センター４３は、記録再生装置（記録再生機器）４１から保管センター４３へ転送されようとしているデータ（ストリーム）の内容管理用情報を取得する。続いて符合１０４を付したステップへ進む。
【００５５】
ステップ１０４は取得された内容管理用情報を用いて、記録再生装置（記録再生機器）４１から保管センター４３へ転送されようとしているデータ（ストリーム）と同じものが、既に保管センター４３に保管されているか否かを判断するステップである。上記転送されようとしているデータ（ストリーム）と同じものが、保管センター４３に保管されている場合は符号１０６を付したステップへ進む（Ｙｅｓ）。上記転送されようとしているデータ（ストリーム）と同じものが、保管センター４３に保管されていない場合は符号１０５を付したステップへ進む（Ｎｏ）。
【００５６】
ステップ１０５は記録再生装置（記録再生機器）４１から保管センター４３へデータ（ストリーム）を送信するステップである。続いて符合１０７を付したステップへ進む。
【００５７】
ステップ１０６は保管センター４３に保管されているデータ（ストリーム）と同じ部分については、そのデータ（ストリーム）を転送せずに、ストリーム内の位置情報を送信し、保管センター４３に保管されているデータ（ストリーム）と異なる残りのデータ（ストリーム）を転送するステップである。続いて符合１０７を付したステップへ進む。
【００５８】
ステップ１０７は保管センター４１で、保管するデータ（ストリーム）の復元手法（ストリームそのものを預かったのか、位置情報を元にストリームを復元するのか）を記憶するステップである。続いて符合１０８を付したステップへ進む。
【００５９】
ステップ１０８は処理を終了するステップであり。、ここでの一連の処理は終了する。
【００６０】
図４はこの発明の実施の形態に係る保管センターにおけるメリットを説明する図である。
【００６１】
図４（ａ）はこの発明の実施の形態に対する比較例である。保管センター４３において、例えば２Ｇ　Ｂｙｔｅの同一のデジタルデータ（番組Ｄ）をそのまま保管するとする。
【００６２】
左側の図は２Ｇ　Ｂｙｔｅのデジタルデータを預かる前の保管センターの保管状況を示している。右側の図は２Ｇ　Ｂｙｔｅのデジタルデータを１００台分預かった後の保管センター４３の保管状況を示す図である。ここでは、保管センター４３は、ライブリー分のストリーム（番組Ｄ）を含めて２０２Ｇ　Ｂｙｔｅの容量を必要とする。
【００６３】
図４（ｂ）はこの発明の実施の形態に係るメリットを示す例である。上記のように、保管センター４３は内容管理用情報を用いてストリーム（番組Ｄ）の保管管理を行う。
【００６４】
左側の図は２Ｇ　Ｂｙｔｅのデジタルデータを預かる前の保管センターの保管状況を示している。右側の図は２Ｇ　Ｂｙｔｅのデジタルデータを１００台分預かった後の保管センター４３の保管状況を示す図である。
【００６５】
番組Ｄと同じストリームが保管センター４３に保管されている部分は、そのストリームの位置特定情報を保管する。これらの位置特定情報は１台目から１００台目の各記録再生装置４１に対して行われる。
【００６６】
この例においては、位置特定情報の総容量は１Ｍ　Ｂｙｔｅ以下と予想されるため、保管センター４３は、ライブリー分のストリーム（番組Ｄ）を含めて２Ｇ
Ｂｙｔｅ＋１Ｍ　Ｂｙｔｅ以下の容量を使用するだけで足りる。
【００６７】
このように、コンテンツの内容がＢＳデジタル放送（デジタルデータ）録画のような、保管センター４３がコンテンツの実態に係るデジタルデータを備えることができる番組については、映像や音声の全データを記録再生装置４１から送信する代わりに、録画内容を特定できる情報（番組情報とタイムスタンプ，ＧＯＰ特定情報等）を送ることにより、送信データ量を大幅に削減することができる。
【００６８】
また、保管センター４３においても、複数の記録再生機器から送られてきた同じ内容の映像や音声の全デジタルデータを重複して保管する代わりに、録画内容やストリーム位置を特定できる情報を保管することにより、コンテンツの保管に使用する記録容量を大幅に削減することができる。
【００６９】
尚、保管センター４３に保管したストリームを保管センター４３から記録再生装置４１へダウンロードする場合には、保管センター４３のストリーム位置特定情報を元に、該当するストリームをダウンロードすればよい。
【００７０】
この発明に係る実施の形態によれば、通信回線を用いて、記録再生装置に記録されたコンテンツ（ストリーム）を保管センターに保管することにより、記録再生装置の記録可能領域を増やすことができるという効果がある。
【００７１】
また、保管センターへコンテンツ（ストリーム）を預ける際には、情報量を削減して転送する様にしているので、通信時間を低減することができるという効果がある。
【００７２】
また、保管センターは、同一のデジタルデータを、重複して保管しないようにしているため、保管に必要な記録容量を削減することができるという効果もある。
【００７３】
また、上記説明においては、コンテンツ記録装置として主にＨＤＤや書き換え可能型のＤＶＤを例に用いたが、ＭＯなどのリライタブルディスクや、半導体メモリカードのような書き換え可能型のカード（ＰＣＭＣＩＡカード、ＳＤカードなど）でもこの発明を応用することは可能である。
【００７４】
【発明の効果】
上記説明したように、この発明に実施の形態によれば、通信回線を用いて、記録再生装置に記録されたコンテンツ（ストリーム）を保管センターに保管することにより、記録再生装置の記録可能領域を増やすことができるという効果がある。
【００７５】
また、保管センターへコンテンツ（ストリーム）を預ける際には、情報量を削減して転送する様にしているので、通信時間を低減することができるという効果がある。
【００７６】
また、保管センターは、同一のデジタルデータを、重複して保管しないようにしているため、保管に必要な記録容量を削減することができるという効果もある。
【図面の簡単な説明】
【図１】この発明に係るシステムの構成を説明する図。
【図２】この発明に係る記録再生装置の具体的な構成を示す図。
【図３】この発明に係るシステムの動作を説明するフローチャート。
【図４】この発明に係る保管センターにおけるメリットを説明する図。
【符号の説明】
３１　…　コンテンツ記録装置
３２　…　伸張ブロック
３３　…　全体コントロール部
３４　…　通信手段
３５　…　Ａ／Ｄコンバータ
３６　…　圧縮ブロック
３７　…　Ｄ／Ａコンバータ
３８　…　チューナ
３９　…　送受信データ処理部
４１　…　記録再生装置
４２　…　アンテナ
４３　…　保管センター
【図１】
2004088281.tif 000003
【図２】
2004088281.tif 000004
【図３】
2004088281.tif 000005
【図４】
2004088281.tif 000006